(57)【要約】  アダプター（１、１'、１''、１'''、１''''）であって、第１連結領域（３）と第２連結領域（４）とを有するＲＦコネクタの内部導体に使用され、この第１連結領域（３）は、二つの第１接触領域対（５１、５２）を有し、各第１接触領域対（５１、５２）は、第１接触領域と第２接触領域（６１１、６１２、６２１、６２２）とを有し、第２連結領域（４）は、二つの第２接触領域対（１０１、１０２）を有し、各第２接触領域対（１０１、１０２）は、第３接触領域と第４接触領域（９１１、９１２、９２１、９２２）とを有する。二つの第１接触領域対（５１、５２）は、互いに平行に配置され、二つの第２接触領域対（１０１、１０２）は、互いに交差するように配置される。一つの第１接触領域対（５１）の第１接触領域と第２接触領域（６１１、６２１）及び他の一つの第１接触領域対（５２）の第１接触領域と第２接触領域（６１２、６２２）のそれぞれは、連結線を介して、一つの第２接触領域対（１０１）の第３接触領域と第４接触領域（９１１、９２１）及び他の一つの第２接触領域対（１０２）の第３接触領域と第４接触領域（９１２、９２２）にそれぞれ電気的に接続される。第１連結線、第２連結線、第３連結線及び第４連結線（７、８、１１、１２、７'、８'、１１'、１２'、７''、８''、１１''、１２''、７'''、８'''、１１'''、１２'''、７''''、８''''、１１''''、１２''''）における二つの連結線は、互いに平行に配置される。ケーブルが固定されたアダプター（１、１'、１''、１'''、１''''）を有し、この場合、ケーブルの内部導体は、第１連結線、第２連結線、第３連結線及び第４連結線ではなく、第１連結領域（３）から第２連結領域（４）に引き回される。
2019533407.tif 000002
【特許請求の範囲】
【請求項１】
ＲＦコネクタの内部導体のためのアダプターであって、第１連結領域と第２連結領域とを有し、
前記第１連結領域は、二つの第１接触領域対を有し、前記第１接触領域対は、それぞれ第１接触領域と第２接触領域とを有し、
前記第２連結領域は、二つの第２接触領域対を有し、前記第２接触領域対は、それぞれ第３接触領域と第４接触領域とを有し、
前記二つの第１接触領域対は、互いに平行に配置され、前記二つの第２接触領域対互いに交差するように配置され、
一つの前記第１接触領域対の前記第１接触領域は、第１連結線を介して、一つの前記第２接触領域対の前記第３接触領域に電気的に接続され、前記一つの第１接触領域対の前記第２接触領域は、第２連結線を介して、前記一つの第２接触領域対の前記第４接触領域に電気的に接続され、他の一つの第１接触領域対の第１接触領域は、第３連結線を介して、他の一つの第２接触領域対の第３接触領域に電気的に接続され、他の一つの前記第１接触領域対の前記第２接触領域は、第４連結線を介して、他の一つの前記第２接触領域対の前記第４接触領域に電気的に接続され、
第１連結線、第２連結線、第３連結線及び第４連結線における二つの連結線は、それぞれ互いに平行に配置される、アダプター。
【請求項２】
前記第１連結線、第２連結線、第３連結線及び第４連結線には、二つの連結線のみがそれぞれ互いに交差するように配置される
請求項１に記載のアダプター。
【請求項３】
前記第２接触領域対において、差動信号を伝送するそれぞれの二対の信号導体は、星型カッド配置で連結されることができる
請求項１又は２に記載のアダプター。
【請求項４】
前記第１接触領域対において、差動信号を伝送するケーブルのそれぞれの内部導体対を連結することができる
請求項１から３のいずれか一項に記載のアダプター。
【請求項５】
互いに交差するように配置される前記第１連結線と第３連結線は、互いに平行に配置される２つの前記第２連結線と第４連結線より低い誘電率を有する材料に囲まれる
請求項１から４のいずれか一項に記載のアダプター。
【請求項６】
互いに交差するように配置される前記第１連結線と第３連結線は、交差領域において互いに８５°〜９５°の角度をなす
請求項１から５のいずれか一項に記載のアダプター。
【請求項７】
互いに交差するように配置される第１連結線と第３連結線との間に位置される間隔は、交差領域における第１連結線と第３連結線の材料の除去によって増加する
請求項１から６のいずれか一項に記載のアダプター。
【請求項８】
互いに交差するように配置される前記第１連結線と第３連結線は、互いに凸状に湾曲した態様で引き回される
請求項１から７のいずれか一項に記載のアダプター。
【請求項９】
互いに交差するように配置される前記第１連結線と第３連結線は、前記第１連結領域および第２連結領域の関連する接触領域の間の直線連結線に対して非対称的にオフセットした態様でそれぞれ引き回される
請求項１から８のいずれか一項に記載のアダプター。
【請求項１０】
互いに交差するように配置される前記二つの第１連結線と第３連結線のうち前記アダプターの円周面から離れて位置する連結線に比べて、互いに交差するように配置される前記二つの第１連結線と第３連結線のうち前記アダプターの前記円周面のより近くに位置する連結線は、変化された直径を有し、好ましくは、より小さい直径である
請求項８又は９に記載のアダプター。
【請求項１１】
ケーブルであって、
二対のシールドされた内部導体対を有し、前記二対のシールドされた内部導体対における各対は差動信号を伝送し、前記ケーブルの端部には、アダプターが固定され、
前記アダプターは、第１連結領域と第２連結領域を有し、前記第１連結領域は、二つの第１接触領域対を有し、前記二つの第１接触領域対における各対は、第１接触領域と第２接触領域を有し、前記第２連結領域は、二つの第２接触領域対を有し、前記二つの第２接触領域対における各対は、第３接触領域と第４接触領域を有し、
前記二つの第１接触領域対は、互いに平行に配置され、二つの第２接触領域対は、互いに交差するように配置され、
一つの前記第１接触領域対の第１接触領域と第２接触領域は、前記ケーブルの一つの内部導体対のそれぞれ異なる内部導体を介して、一つの前記第２接触領域対の前記第３接触領域と第４接触領域にそれぞれ電気的に接続され、他の一つの第１接触領域対の第１接触領域と第２接触領域は、他の一つの前記内部導体対のそれぞれ異なる内部導体を介して、他の一つの前記第２接触領域対の前記第３接触領域と前記第４接触領域にそれぞれ電気的に接続され、
前記アダプターにおける二つの内部導体はそれぞれ互いに平行に配置される、ケーブル。
【請求項１２】
前記アダプターの内部に二つの内部導体のみがそれぞれ互いに交差するように配置される
請求項１１に記載のケーブル。
【請求項１３】
前記第２接触領域対において、前記内部導体は、星型カッド配置で配置される
請求項１１又は１２に記載のケーブル。
【請求項１４】
前記第１接触領域対において、前記ケーブルの内部導体対は、それぞれ互いに平行に引き回される
請求項１１から１３のいずれか一項に記載のケーブル。
【請求項１５】
前記アダプターにおいて、互いに交差するように配置される前記内部導体は、互いに平行に配置される前記二つの内部導体より低い誘電率を有する材料に囲まれる
請求項１１から１４のいずれか一項に記載のケーブル。
【請求項１６】
前記アダプターにおいて、互いに交差するように配置される前記内部導体は、交差領域において互いに８５°〜９５°の角度をなす
請求項１１から１５のいずれか一項に記載のケーブル。
【請求項１７】
前記アダプターにおいて、互いに交差するように配置される前記内部導体の間隔は、交差領域における前記内部導体の材料の除去によって増加する
請求項１１から１６のいずれか一項に記載のケーブル。
【請求項１８】
前記アダプターにおいて、互いに交差するように配置される前記内部導体は、互いに凸状に湾曲した態様で引き回される
請求項１１から１７のいずれか一項に記載のケーブル。
【請求項１９】
前記アダプターにおいて、互いに交差するように配置される前記内部導体は、前記第１連結領域および第２連結領域の関連する接触領域の間の直線連結線に対して非対称的にオフセットした態様でそれぞれ引き回される
請求項１１から１８のいずれか一項に記載のケーブル。
【請求項２０】
前記アダプターにおいて、互いに交差するように配置される前記二つの内部導体のうち前記アダプターの円周面から離れて位置する内部導体に比べて、互いに交差するように配置される前記二つの内部導体のうち前記アダプターの前記円周面のより近くに位置する内部導体は、変化された直径を有し、好ましくは、より小さい直径である
請求項１８又は１９に記載のケーブル。
【発明の詳細な説明】
【技術分野】
【０００１】
本発明は、アダプター及びアダプター付きケーブルに関する。
【背景技術】
【０００２】
現在、自動車のデータネットワークは、１ＧＢ／ｓを超える比較的に高いデータレートで、例えば、センサデータ、家庭用電気製品のデータなどの異なる用途のデータを伝送する。そのため、いわゆるＨＳＤ（高速データ）ケーブルは、既に構築されている。このようなＨＳＤケーブルは、二つの差動信号を並列伝送するための二対のデータラインを有し、二対のデータラインは、互いに交差する態様で、いわゆる星型カッド配置（ｓｔａｒ ｑｕａｄ ａｒｒａｎｇｅｍｅｎｔ）に配置され、データラインに沿って螺旋状に撚り合わせられる。
【０００３】
星型カッド配置の撚り合わせは、より低い充填密度をもたらすが、星型カッド配置は、少なくとも低周波数から中間周波数範囲において、二対のデータライン間のより低いクロストークを達成することを可能にする。より高い周波数範囲では、データラインペアのそれぞれの間のクロストークは著しく悪化する。
【０００４】
より高い周波数範囲のために、それぞれシールドされた二つデータラインペアが内部で平行に伸びる、すなわち互いに交差しないように延伸するケーブルが、ますます使用されるようになっている。各データラインペアのそれぞれをシールドすることにより、各データラインペアの間のクロストークが改善される。
【０００５】
平行で、且つそれぞれシールドされたデータラインペアを有するケーブルより、星型カッド配置を有するケーブルの普及率が非常に高いので、例えば、ＲＦ電子システムのプリント回路基板に接続されたコネクタ、およびデータラインの星型カッド配置に適応されたコネクタ等の多くのコネクタが自動車工学に存在する。
【０００６】
従って、平行でそれぞれシールドされたデータラインペアを有するカスタマイズされたケーブルを、データラインが星型カッド配置されたコネクタを有するＲＦ電子システムの既存のプリント回路基板に接続することは不可能であり、その結果、不都合なことに、このようなケーブルの普遍的な実装が悪化する。
【発明の概要】
【発明が解決しようとする課題】
【０００７】
従って、本発明の目的は、平行でそれぞれシールドされたデータラインペアのケーブルを、データラインが星型カッド配置されたコネクタにカップすることができる装置を提供することである。
【０００８】
この目的は、請求項１の技術的特徴を有する発明に係るアダプター、及び請求項１１の技術的特徴を有する発明に係る、端部にアダプターが固定されるケーブルにより実現される。それぞれの従属請求項から有利な技術的な改善を集めることができる。
【課題を解決するための手段】
【０００９】
本発明によるアダプターは、第１連結領域と第２連結領域とを有し、この第１連結領域は、二つの第１接触領域対を有し、この第１接触領域対は、それぞれ第１接触領域と第２接触領域とを有し、第２連結領域は、二つの第２接触領域対を有し、この第２接触領域対は、それぞれ第３接触領域と第４接触領域とを有する。第１連結領域における二つの第１接触領域対は、互いに平行に配置され、第２連結領域における二つの第２接触領域対は、互いに交差するように配置される。
【００１０】
従って、平行で、好ましくはシールドされた二つのデータラインペアを有するケーブルは、アダプターの第１連結領域に接続することができ、アダプターの第２連結領域は、対向するコネクタのデータラインに接続することができ、この対向するコネクタは、星型カッド配置になる。従って、それぞれの二つの差動信号は、二つの連結領域を介して伝送されることができる。
【００１１】
一つの第１接触領域対の第１接触領域は、第１連結線を介して、一つの第２接触領域対の第３接触領域に電気的に接続され、一つの第１接触領域対の第２接触領域は、第２連結線を介して、一つの第２接触領域対の第４接触領域に電気的に接続される。他の一つの第１接触領域対の第１接触領域は、第３連結線を介して、第２接触領域対の第３接触領域に電気的に接続され、他の一つの第１接触領域対の第２接触領域は、第４連結線を介して、第２接触領域対の第４接触領域に電気的に接続される。
【００１２】
このような方法により、第１連結領域の二つの第１接触領域対から平行な第２連結領域の二つの第２接触領域対への切り替えは、第１連結線、第２連結線、第３連結線及び第４連結線を介して行われ、第２連結領域の二つの第２接触領域対は、星型カッド配置で配置される。
【００１３】
本発明によると、第１連結線、第２連結線、第３連結線及び第４連結線における二つの連結線は、それぞれ第１連結領域と第２連結領域との間に互いに平行に配置される。
【００１４】
このような方法により、第１連結領域と第２連結領域との間で、互いに交差するように配置された連結線の数は、二つに減らすことができる。交差するように配置され、また交差領域において比較的に高い誘導性および容量性のオーバーカップリングを有する連結線と比較すると、平行な連結線の間での誘導性および容量性のオーバーカップリングは、平行に配置された連結線の間の巨大な間隔のために比較的低い。
【００１５】
その第１連結領域でケーブルに接続することができるアダプタの発明に係る解決策に加えて、ケーブル端部のアダプタの発明に係る統合も有利である。
【００１６】
この目的のために、ケーブルの二つのシールドされた内部導体対は、第１連結領域の二つの平行な第１接触領域対に引き回されるだけでなく、本発明によるアダプターの第１連結線、第２連結線、第３連結線及び第４連結線は、ケーブルの内部導体に置き換えられる。従って、ケーブルの内部導体は、アダプターの第２連結領域の接触領域に徐々に引き回される。従って、一つの第１接触領域対の第１接触領域と第２接触領域は、ケーブルの一つの内部導体対のそれぞれの異なる内部導体を介して、一つの第２接触領域対の第３接触領域と第４接触領域にそれぞれ電気的に接続され、他の一つの第１接触領域対の第１接触領域と第２接触領域は、他の一つの内部導体対のそれぞれ異なる内部導体を介して、第２接触領域対の第３接触領域と第４接触領域にそれぞれ電気的に接続される。
【００１７】
個別のアダプター及びアダプターが統合されたケーブル両方に対して、好ましい技術的改善を実現した。
【００１８】
互いに交差する二つの連結線の間の誘導性のオーバーカップリング、又は、交差領域における互いに交差する二つの内部導体の間の誘導性のオーバーカップリングを最小化するために、互いに交差する態様で配置された連結線、又は、互いに交差する態様で配置された内部導体は、それぞれ互いに８５°〜９０°の間の角度で配置される。好ましくは、互いに交差する態様で配置された連結線又は互いに交差する態様で配置された内部導体の個々は、互いに垂直に配置される。この目的のために、好ましくは、この態様での交差領域において互いに交差する態様で配置された二つの連結線の最も直交性が高くなり得る配向、又は互いに交差する態様で配置された二つの内部導体の最も直交性が高くなり得る配向を実現するために、互いに交差する態様で配置された二つの連結線又は互いに交差する態様で配置された二つの内部導体におけるそれぞれは、互いに平行に引き回され、第２連結領域および第１連結領域の領域で平行に引き回された二つの連結線に平行に引き回され、または平行に引き回された二つの内部導体に平行に引き回される。
【００１９】
交差領域における二つの互いに交差するように配置される連結線の間、又は互いに交差するように配置される二つの内部導体の間に位置される間隔を最大化することにより、交差領域における二つの互いに交差するように配置される連結線の間の容量性のオーバーカップリング、または二つの互いに交差するように配置される二つの内部導体の間の容量性のオーバーカップリングが最小化される。
【００２０】
容量性のオーバーカップリングを最小化する第１変形において、好ましくは、互いに交差するように配置される二つの連結線または互いに交差するように配置される二つの内部導体は、互いに凸状に湾曲する。従って、第１連結領域と第２連結領域との間の中心において、即ち、交差領域において、それらは互いに対して最大の間隔を有する。
【００２１】
第２変形において、交差領域において互いに交差するように配置される二つの連結線または互いに交差するように配置される二つの内部導体のそれぞれの対向する領域において、それぞれの場合において好ましくは材料を除去されることによって、互いに交差するように配置される二つの連結線の間または互いに交差するように配置される二つの内部導体の間の容量性のオーバーカップリングの最小化が実現される。従って、互いに交差するように配置される二つの連結線または互いに交差するように配置される二つの内部導体の間の間隔が増加される。
【００２２】
容量性のオーバーカップリングを最小化する第３変形において、好ましくは、互いに交差するように配置される二つの連結線または互いに交差するように配置される二つの内部導体は、第１連結領域と第２連結領域の二つの接触領域の間の関連の直線連結線に対して非対称的にオフセットした方法でそれぞれ引き回される。互いに交差する二つの連結線または互いに交差する二つの内部導体は、二つの非対称のオフセットのそれぞれが互いに１８０°位相オフセットされた場合、最小化された容量性のオーバーカップリングに対してとり得る最大の間隔を有する。
【００２３】
なお、３つの変形全てにおいて、好ましくは、互いに交差するように配置される二つの連結線の一つの連結線は、互いに交差するように配置される二つの連結線のそれぞれの他の一つの連結線とは異なる直径を有し、または互いに交差するように配置される二つの内部導体の一つの内部導体は、互いに交差するように配置される二つの内部導体のそれぞれの他の一つの内部導体とは異なる直径を有し、この互いに交差するように配置される二つの連結線の他の一つの連結線又はこの互いに交差するように配置される二つの内部導体のうちの他の一つの内部導体は、円筒形アダプターの円周面に空間的に近くなるように引き回され、従って、アダプターを囲む接地シールドに空間的に近くなる。
【００２４】
３つの変形全てにおいて、好ましくは、互いに交差するように配置される二つの連結線の一つの連結線は、互いに交差するように配置される二つの連結線のそれぞれの他の一つの連結線より小さい直径を有し、または互いに交差するように配置される二つの内部導体の一つの内部導体は、互いに交差するように配置される二つの内部導体のそれぞれの他の一つの内部導体より小さい直径を有し、この互いに交差するように配置される二つの連結線の他の一つの連結線またはこの互いに交差するように配置される二つの内部導体のうちの他の一つの内部導体は、円筒形アダプターの円周面に空間的に近くなるように引き回され、従って、アダプターを囲む接地シールドに空間的に近くなる。
【００２５】
互いに交差するように配置される二つの連結線のうち接地シールドに近く引き回される連結線の直径の変化、好ましくは減少、または互いに交差するように配置される二つの内部導体のうち接地シールドに近く引き回される内部導体の直径の変化、好ましくは減少は、有利には、第１連結領域と第２連結領域との間のアダプターのインピーダンスのキャパシタンス成分の最適値を形成する。
【００２６】
互いに平行に配置される二つの連結線または互いに平行に配置される二つの内部導体よりも、互いに交差するように配置される二つの連結線または互いに交差するように配置される二つの内部導体は大きい長さを有するため、連結線または内部導体におけるＲＦ信号の伝播時間はそれぞれ異なる。連結線又は内部導体を通過した後、差動信号の信号成分は１８０°位相オフセットせず、二つの連結線又は二つの内部導体における異なる伝播時間を考慮すると、差動信号の信号成分は異なる位相シフトを有することができるため、正確な差動信号を表現しない。
【００２７】
差分ＲＦ信号の信号成分の異なる伝播速度によって、異なる配置の連結線又は異なる配置の内部導体における異なる伝播時間が等しくなる。そのため、互いに交差するように配置される連結線または互いに交差するように配置される内部導体はそれぞれ、互いに平行に配置される連結線または互いに平行に配置される内部導体より低い誘電率を有する材料に囲まれる。より低い誘電率を有する材料は、より高い伝播速度をもたらし、材料は、互いに交差するように配置される連結線又は互いに交差するように配置される内部導体のより大きい長さを補助するために使用される。従って、二つの信号成分を有する差分ＲＦ信号がアダプターの二つの連結領域に表れ、この二つの信号成分がそれぞれ互いに１８０°の位相シフトを有することを保証する。
【図面の簡単な説明】
【００２８】
【図１Ａ】本発明によるアダプターの第１実施例の長手方向の断面図を示す。
【図１Ｂ】本発明によるアダプターの第１実施例の第２連結領域における半径方向の断面図を示す。
【図１Ｃ】本発明によるアダプターの第１実施例の第１連結領域における半径方向の断面図を示す。
【図２】本発明によるアダプターの第２実施例の長手方向の断面図である。
【図３Ａ】本発明によるアダプターの第３実施例の長手方向の断面図を示す。
【図３Ｂ】本発明によるアダプターの第３実施例の第２連結領域における半径方向の断面図を示す。
【図３Ｃ】本発明によるアダプターの第３実施例の第１連結領域における半径方向の断面図を示す。
【図４Ａ】本発明によるアダプターの第４実施例の長手方向の断面図を示す。
【図４Ｂ】本発明によるアダプターの第４実施例の第２連結領域における半径方向の断面図を示す。
【図４Ｃ】本発明によるアダプターの第４実施例の第１連結領域における半径方向の断面図を示す。
【図５Ａ】発明によるアダプターの第５実施例の長手方向の断面図を示す。
【図５Ｂ】発明によるアダプターの第５実施例の第２連結領域における半径方向の断面図を示す。
【図５Ｃ】発明によるアダプターの第５実施例の第１連結領域における半径方向の断面図を示す。
【図６】本発明による統合されたアダプターを有するケーブルの長手方向の断面図を示す。
【発明を実施するための形態】
【００２９】
図面に合わせて、本発明のアダプターのそれぞれの特徴、及び本発明によるアダプターの接続されたケーブルのそれぞれの特性については、以下で詳細に説明する。
【００３０】
本発明によるアダプター１の第１実施例は、図１Ａ、図１Ｂ及び図１Ｃに結びついて以下で詳細に説明する。
【００３１】
アダプター１は、長手方向の軸線２に対して回転対称であり、好ましくは、中空円筒形状として実現される基体を有する。好ましい中空円筒形アダプター１は、その二つの端部側領域にそれぞれ端面を有する。好ましくは、アダプター１は、例えばポリエチレンまたはポリプロピレンからなるプラスチック製射出成形部品として製造される。
【００３２】
図１Ａの右側の端面は、第１連結領域３を表し、図１Ａの左側の端面は、第２連結領域４を表す。第１連結領域３と第２連結領域４は、共に差動信号の数に対応する複数の接触領域対を有する。好ましくは、差動信号の数に対応する二つの接触領域対は、二つの連結領域に配置され、この差動信号は、ＨＳＤケーブルで伝送される。それぞれの接触領域は、関連の孔部又は凹部のすべての領域を含み、この関連の孔部又は凹部は、図１Ａでアダプター１の第１連結領域３と第２連結領域４にそれぞれ図示される。
【００３３】
図１Ｃによると、第１連結領域３は、二つの第１接触領域対５１、５２を有し、第１接触領域対５１、５２は、それぞれ第１接触領域６１１、６１２及び第２接触領域６２１、６２２を有する。第１連結領域３の二つの第１接触領域対５１、５２は、互いに平行に配置される。
【００３４】
例えば、第１連結領域３における第１接触領域対５１の第１接触領域６１１において、ケーブルの内部導体は、はんだ付けによって、第１連結線７に電気的に接続される。第１連結領域３の第１接触領域対５１の第２接触領域６２１において、ケーブルの同じ内部導体対の他の一つの内部導体は、第２連結線８に電気的に接続され、この同じ内部導体対は、互いにシールドされる。ケーブルの同じ内部導体対に電気的に接続された第１連結線７と第２連結線８は、同じシェーディングで特徴づけされ、この同じ内部導体対は、互いにシールドされる。第１連結線７は、第２連結領域４における第２接触領域対１０１の第３接触領域９１１に引き回され、第２連結線８は、第２連結領域４における同じ第２接触領域対１０１の第４接触領域９２１に引き回される。
【００３５】
第１接触領域３における他の一つの第１接触領域対５２の第１接触領域６１２において、ケーブルの他の一つのシールドされた内部導体対の内部導体は、第３連結線１１に電気的に接続される。第１連結領域３の他の一つの接触領域対５２の第２接触領域６２２において、ケーブルの前記他の一つのシールドされた内部導体対の他の一つの内部導体は、第４連結線１２に電気的に接続される。第３連結線１１と第４連結線１２は、ケーブルの同じ内部導体対に電気的に接続され、この同じ内部導体対は、互いにシールドされ、この第３連結線１１と第４連結線１２は、シェーディングなしで示される。第３連結線１１は、第２連結領域４における他の一つの第２接触領域対１０２の第３接触領域９１２に引き回され、第４連結線１２は、第２連結領域４における同じ第２接触領域対１０２の第４接触領域９２２に引き回される。
【００３６】
図１Ｂ及び図１Ｃに示すように、第１連結線７、第２連結線８、第３連結線１１及び第４連結線１２のそれぞれは、好ましくは銅からなり、非導電性プラスチック製の保護カバーを有する撚り線の束を表す。
【００３７】
第１接触領域対５１、５２及び第２接触領域対１０１、１０２の領域において、第１連結線７、第２連結線８、第３連結線１１及び第４連結線１２は、孔部又は凹部の外部限界又は内部限界に引き回され、この孔部又は凹部は、それぞれの接触領域に関連する。代替として、第１連結線７、第２連結線８、第３連結線１１及び第４連結線１２は、またそれぞれの接触領域に関連する孔部又は凹部の内部で終了することもできる。
【００３８】
図１Ａから分かるように、第２連結線８と第４連結線１２のそれぞれは、アダプター１の内部に配置され、長手方向の軸線２に沿って互いに平行に配置され、第１連結線７と第３連結線１１のそれぞれは、互いに交差する態様に配置される。
【００３９】
第２連結線８と第４連結線１２は、互いから間隔をあけて、およびアダプター１の円周面の接地シールド（図１Ａに図示せず）から間隔をあけて互いに平行に配置され、第２連結線８と第４連結線１２との間の誘導性および容量性のオーバーカップリング全体を最小化する。
【００４０】
互いに交差する態様で配置された第１連結線７と第３連結線１１との間の誘導性および容量性のオーバーカップリングを最小化するために、好ましくは、以下の技術的手段を実行する。
【００４１】
図２によると、本発明によるアダプターの第２実施例１'において、第１連結線７'と第３連結線１１'は、これらが交差領域において互いに８５°〜９５°の角度をなし、また好ましくは直交、即ち互いに９０°をなすように、互いに交差する。これにより、誘導性のオーバーカップリングを大幅に予防することができる。そのため、第１連結線７'と第２連結線１１'は、関連の接触領域の領域、即ち、第１連結領域３における二つの第１接触領域対５１、５２の第１接触領域６１２と第１接触領域６１１の領域、及び第２連結領域４における二つの第２接触領域対１０１、１０２の第１接触領域９１１と第１接触領域９１２の領域において、比較的に大きいパスにわたって互いに平行に引き回される。
【００４２】
図３Ａ、図３Ｂ及び図３Ｃは、第１連結線と第２連結線との間の交差領域における容量性のオーバーカップリングを最小化する第１変形を示し、この第１連結線と第２連結線は、互いに交差する態様で配置される。
【００４３】
図３Ｂ及び図３Ｃは、図３Ａに示した例が、アダプターの長手方向の軸線２に沿って図１Ａ及び図２に示す例に対して９０°回転したことを示す。
【００４４】
本発明によるアダプターの第３実施例１''において、互いに交差するように配置される第１連結線７''と第３連結線１１''は、互いに凸状に湾曲して、交差領域において互いに対して増加された間隔を有することが分かる。交差領域の増加された間隔のため、第１連結線７''と第３連結線１１''との間の容量性のオーバーカップリングが最小化される。
【００４５】
図３Ａから分かるように、この第１連結線７''は、大体円筒形であるアダプター１''の円周面により近く位置され、従って、接地シールド（図３Ａに図示せず）により近く位置され、この第１連結線７''は、変化された直径を有し、好ましくは、アダプター１''の円周面、ひいては接地シールドからより離れた第３連結線１１''と比較してより小さい直径を有する。好ましくは、第１連結線７''のより小さい直径は、最適値をもたらし、この最適値は、アダプター１１''の第１連結領域３と第２連結領域４との間のインピーダンスのキャパシタンス成分のための最適値である。
【００４６】
図４Ａ、図４Ｂ及び図４Ｃに示すように、第２変形は、互いに交差するように配置された第１連結線と第２連結線との間の交差領域における容量性のオーバーカップリングを最小化するために使用することができる。
【００４７】
本発明による第４実施例のアダプター１'''において、それぞれ互いに交差するように配置される第１連結線７'''と第３連結線１１'''との間の増加された間隔は、関連する接触領域の間の直線連結線に対して、非対称にオフセットする態様及び互いに対して１８０°オフセットする態様で引き回されることで実現される。従って、第１連結線７'''は、第１連結領域３における第１接触領域対５１の第１接触領域６１１の領域、及び第２連結領域４における第２接触領域対１０１の第３接触領域９１１の領域内で非対称的に配置される。第２連結線１１'''は、第１連結領域３における第１接触領域対５２の第２接触領域６１２の領域、及び第２連結領域４における第２接触領域対１０２の第２接触領域９２２の領域内で非対称的に配置される。
【００４８】
第１連結線７'''は、第３連結線１１'''と比較して変化された直径を有し、好ましくは、より小さい直径を有し、この第１連結線７'''は、アダプター１'''の円周面により近いため、接地シールドにより近くなり、この第３連結線１１'''は、アダプター１'''の円周面からより離れて、接地シールドからもより離れる。従って、この場合も、アダプター１'''の第１連結領域３と第２連結領域４との間のインピーダンスのキャパシタンス成分が最適値に減少される。
【００４９】
図５Ａ、図５Ｂ及び図５Ｃは、第１連結線と第３連結線の交差領域における容量性のオーバーカップリングを最小化する第３変形を示し、第１連結線と第３連結線は、互いに交差するように配置される。
【００５０】
この場合、本発明による第５実施例のアダプター１'''''の第１連結線７''''と第３連結線１１''''は、それぞれ交差領域における材料除去１４１および１４３を有する。これにより、第１連結線７''''と第３連結線１１''''との間の間隔は増加され、第１連結線７''''と第３連結線１１''''との間の容量性のオーバーカップリングは減少される。
【００５１】
第１連結線７''''は、第３連結線１１''''と比較して変化された直径を有し、好ましくは、より小さい直径を有し、この第１連結線７''''は、アダプター１''''の円周面により近いように引き回されるため、接地シールドにより近くなり、この第３連結線１１''''は、アダプター１''''の円周面からより離れるように引き回されるため、アダプター１''''の第１連結領域３と第２連結領域４との間のインピーダンスのキャパシタンス成分も最適値に減少される。
【００５２】
それぞれ互いに交差するように配置される第１連結線と第３連結線は、それぞれ互いに平行に配置される第２連結線と第４連結線の直径より大きい直径を有するため、伝播時間に差が存在し、従って第１連結線と第２連結線における差動信号の信号成分の間にも位相シフトが存在し、及び第３連結線と第４連結線における差動信号の信号成分の間にも位相シフトが存在する。それぞれの差動信号の信号成分の間の位相シフトは、連結線を通過した後にそれぞれの差動信号の信号成分が差動信号に必要とする１８０°の位相差を持たないようにする。
【００５３】
位相オフセットを補償するために、互いに交差するそれぞれの連結線における差分ＲＦ信号の信号成分の伝播速度は、互いに平行するそれぞれの連結線における差分ＲＦ信号の信号成分の伝播速度に対して増加される。
【００５４】
そのため、互いに交差する連結線は、互いに平行する連結線より低い誘電率を有する材料に覆われる。この場合、一方では、連結線の導電体の保護カバーまたは連結線の導電体の保護カバーをさらに囲む材料でさえ、適切な誘電率に対して選択されることができる。
【００５５】
図６は、本発明による端部にアダプター１が固定されたケーブル１３を示す。ケーブル１３は、平行で、且つシールドされた二つの内部導体対を含む。この二つの内部導体対は、アダプターの第１連結領域３における二つの第１接触領域対５１、５２に引き回され、これらの接触領域は、それぞれ孔部または凹部として実現され、またこの二つの内部導体対は、この孔部または凹部を通過するように引き回される。
【００５６】
図１Ａ、図１Ｂ及び図１Ｃに係る本発明によるアダプター１の第１実施例における第１連結線７、第２連結線８、第３連結線１１及び第４連結線１２と等しい態様で、二つの内部導体対の内部導体８ｖ、１２ｖは、第１連結領域３のそれぞれの第２接触領域から第２連結領域４の直接に対向する第２接触領域に引き回され、二つの内部導体対の内部導体７Ｖ、１１Ｖは、第１連結領域３のそれぞれの第１接触領域から、長手方向の軸線２に対して鏡映された第２連結領域４の第１接触領域に引き回される。
【００５７】
図２、図３Ａ、図４Ａ及び図５Ａにそれぞれ示される本発明によるアダプターの第２実施例、第３実施例、第４実施例及び第５実施例は、等しい態様によって、本発明によるケーブル１３の端部に固定されたアダプター内で実現されうる。
【００５８】
本発明は、本発明によるアダプタの開示された実施例と変形、及び本発明による統合されたアダプターを有するケーブルの開示された実施例と変形に限定されない。特に、本発明は、技術的に実用的である限り、各請求項にそれぞれ請求された特徴、明細書に開示された特徴及び図面にそれぞれ示された特徴の全ての組合せを含む。
【図１Ａ】
2019533407.tif 000003
【図１Ｂ】
2019533407.tif 000004
【図１Ｃ】
2019533407.tif 000005
【図２】
2019533407.tif 000006
【図３Ａ】
2019533407.tif 000007
【図３Ｂ】
2019533407.tif 000008
【図３Ｃ】
2019533407.tif 000009
【図４Ａ】
2019533407.tif 000010
【図４Ｂ】
2019533407.tif 000011
【図４Ｃ】
2019533407.tif 000012
【図５Ａ】
2019533407.tif 000013
【図５Ｂ】
2019533407.tif 000014
【図５Ｃ】
2019533407.tif 000015
【図６】
2019533407.tif 000016
【国際調査報告】
2019533407.tif 000017
2019533407.tif 000018
2019533407.tif 000019
2019533407.tif 000020